(57)【要約】  【課題】本発明の目的は、中継局の保守・管理のための監視制御信号の伝送を経済的に行う無線伝送システムを提供することである。【解決手段】本発明では、基地局は第１の符号により拡散した前記中継局の保守に用いる制御信号と、第２の符号により拡散した移動局に対する主信号とを符号分割多重化してエントランス回線を用いて中継局に送信し、中継局は基地局から受信したエントランス回線の信号をアクセス回線の無線周波数に周波数変換して移動局に送信し、受信したアクセス回線の信号は前記第１の符号により逆拡散することにより制御信号を取り出すことを特徴とする無線伝送システムを用いる。【選択図】  図３
2008236370.tif 000002
【特許請求の範囲】
【請求項１】
基地局から中継局を経由して移動局に信号伝送する無線伝送システムにおいて、
前記中継局の保守に用いる制御信号を第１の符号により拡散し、前記移動局に対する信号を第２の符号により拡散して前記拡散された制御信号に加算することにより符号分割多重し、第１の無線周波数を用いて前記中継局に送信する前記基地局と、
前記基地局から受信した第１の無線周波数の信号を第２の無線周波数に周波数変換して前記移動局に送信し、前記受信した第１の無線周波数の信号を前記第１の符号により逆拡散することにより前記制御信号を取り出す前記中継局と、
を備えたことを特徴とする無線伝送システム。
【請求項２】
前記第１の無線周波数と前記第２の無線周波数は異なる周波数帯であることを特徴とする請求項１記載の無線伝送システム。
【請求項３】
前記第１の符号と前記第２の符号は互いに異なったスクランブルコードであることを特徴とする請求項１記載の無線伝送システム。
【請求項４】
移動局から中継局を経由して基地局に信号伝送する無線伝送システムにおいて、
前記中継局の保守に用いる監視信号を第１の符号により拡散し、前記移動局から送信された第２の符号により拡散された第２の無線周波数の信号と前記拡散された監視信号とを物理ランダムアクセスチャンネル（ＰＲＡＣＨ）を用いて多重化し、第１の無線周波数に周波数変換して前記基地局に送信する前記中継局と、
前記中継局から受信した第１の無線周波数の信号から、前記物理ランダムアクセスチャンネルを用いて前記監視信号を抽出し、第１の符号により逆拡散することにより前記監視信号を取り出し、前記受信した第1の無線周波数の信号を第２の符号により逆拡散することにより前記移動局からの信号を取り出す前記基地局と、
を備えたことを特徴とする無線伝送システム。
【請求項５】
前記第１の符号と前記第２の符号は互いに異なったスクランブルコードであることを特徴とする請求項４記載の無線伝送システム。
【発明の詳細な説明】
【技術分野】
【０００１】
本発明は、無線伝送システムに関し、特に中継局の保守・管理のための監視制御信号を経済的に伝送する無線伝送システムに関する。
【背景技術】
【０００２】
携帯電話システムの普及に伴い、ルーラル地域（田舎、僻地等）においても携帯電話の必要性が増加しており、このような地域では基地局を設置するには経済的に困難であるため、需要に見合った経済的な回線構築が必要となっている。
【０００３】
この課題に対応するため、基地局からの電波が直接届かない地域においては、基地局からの電波を周波数変換して中継する非再生の中継局が考えられている（特許文献１参照）。
【０００４】
非再生の中継局を使用した携帯電話システムについて、従来技術によるシステム構成例を図１に示す。
【０００５】
図１において、１０１は無線ネットワーク制御装置（ＲＮＣ：Ｒａｄｉｏ  Ｎｅｔｗｏｒｋ  Ｃｏｎｔｒｏｌ  ｅｑｕｉｐｍｅｎｔ）、１０２は移動局用主信号処理部、１０３は監視制御部、１０４は基地局、１０５は符号化／復号化処理部、１０６は周波数変換部、１０７は監視制御信号処理部、１０８は中継局、１０９は周波数変換部、１１０は増幅部、１１１は監視制御部、１１２は移動局をそれぞれ示す。
【０００６】
図１のシステムにおいて、移動局１１２からの加入者信号（以下主信号と称す）はアクセス回線（例えば２ＧＨｚ帯）により中継局１０８に伝送され、増幅器１１０で信号増幅され、周波数変換部でエントランス回線（例えば１．５ＧＨz帯）に周波数変換され基地局１０４に伝送される。
【０００７】
主信号は、基地局１０４において周波数変換部１０６で中間周波数（例えば１００ＭＨz帯）に周波数変換され、符号化／復号化処理部１０５において主信号に復号され、ＲＮＣ１０１に伝送され、移動局用主信号処理部１０２において基幹回線網（ＣＮ：Ｃｏｒｅ  Ｎｅｔｗｏｒｋ／図示せず）への接続のための処理が行われる。
【０００８】
ＣＮを介して入力した移動局１１２への信号は、前記とは逆方向の通信経路により、移動局１１２へ伝送される。
【０００９】
図１のシステムにおける中継局１０８を保守・管理するための監視制御信号が、基地局１０４を経由してＲＮＣ１０１と中継局１０８の間で伝送される。
【００１０】
中継局１０８と基地局１０４の間の監視制御信号の伝送は、主信号を伝送するエントランス回線とは別の線路（例えばペア線などの有線）が用いられる。
【００１１】
中継局１０８の状態を監視したデータ信号は基地局１０４へ伝送され、監視制御信号処理部１０７で信号処理され、さらにＲＮＣ１０１に伝送され、監視制御部１０３において、監視データに対応した処理が行われる。
【００１２】
中継局１０８の状態監視のデータに対応して制御のための信号が、前記とは逆方向の通信経路によりＲＮＣ１０１から基地局１０４を経由して中継局１０８に伝送され適切な制御が行われる。
【特許文献１】特開２００５−３３３４０号公報
【発明の開示】
【発明が解決しようとする課題】
【００１３】
先に説明したように、
中継局１０８では移動局への主信号に、中継局１０８の監視制御信号の分岐挿入は困難であり、主信号を伝えるエントランス回線とは別の有線により基地局１０４と通信していた。
【００１４】
しかしながら、有線を用いた線路の敷設は経済的に不利であり、特にルーラル地域では、電力線もない場合が多く新規の有線敷設には多大な費用が必要となる。
【００１５】
従って本発明の目的は、中継局の保守・管理のための監視制御信号の伝送を経済的に行うことである。
【００１６】
尚、上記目的に限らず後述する発明を実施するための最良の形態に示す各構成により導かれる結果であって、従来の技術によっては得られない効果も本発明の他の目的の１つとして位置付けることが出来る。
【課題を解決するための手段】
【００１７】
（１）本発明では、基地局は第１の符号により拡散した前記中継局の保守に用いる制御信号と、第２の符号により拡散した移動局に対する主信号とを符号分割多重化してエントランス回線を用いて中継局に送信し、中継局は基地局から受信したエントランス回線の信号をアクセス回線の無線周波数に周波数変換して移動局に送信し、受信したアクセス回線の信号は前記第１の符号により逆拡散することにより制御信号を取り出すことを特徴とする中継局監視制御信号の無線伝送システムを用いる。
（２）また、エントランス回線の無線周波数とアクセス回線の無線周波数は異なる周波数帯である中継局監視制御信号の無線伝送システムを用いる。
（３）また、前記第１の符号と前記第２の符号は互いに異なったスクランブルコードである中継局監視制御信号の無線伝送システムを用いる。
（４）本発明では、中継局は第１の符号により拡散した中継局の監視に用いる監視信号と、移動局から送信された第２の符号により拡散されたアクセス回線の主信号とを物理ランダムアクセスチャネル（ＰＲＡＣＨ）を用いて多重化し、エントランス回線の無線周波数に周波数変換して基地局に送信し、基地局は中継局から受信したアクセス回線の信号から、物理ランダムアクセスチャネルを用いて拡散された監視信号を抽出し、第１の符号により逆拡散することにより制御信号を取り出し、前記受信した信号を第２の符号により逆拡散することにより移動局からの主信号を取り出すことを特徴とする中継局監視制御信号の無線伝送システムを用いる。
【発明の効果】
【００１８】
本発明により、中継局の保守・管理のための監視制御信号の伝送を経済的に行う無線伝送システムを提供することができる。
【発明を実施するための最良の形態】
【００１９】
以下、図面を参照することにより本発明の実施の形態について説明する。
（実施例）  
実施例における全体システムの構成を図２に示す。
【００２０】
図２において、２０１はＲＮＣ、２０２はセルＣ、２０３はセルＡ、２０４はセルＢ、２０５は基地局、２０６、２０７は中継局、２０８、２０９、２１０は移動局をそれぞれ示す。
【００２１】
図２において、セルＡ２０３とセルＢ２０４内の移動端末には基地局２０５の電波が届かないので、移動局２０９、２１０はアクセス回線（例えば２ＧＨｚ帯）を経由してそれぞれ中継局２０６、２０７と通信する。中継局２０６、２０７はエントランス回線（例えば１．５ＧＨｚ帯）を用いて基地局２０５と通信し、各移動局の電話信号はＲＮＣ２０１に伝送される。
【００２２】
セルＣ２０２内の移動端末には基地局の電波が届くので、移動局２０８はアクセス回線を通して直接基地局２０５と通信し、移動局２０８の信号はＲＮＣ２０１に伝送される。
【００２３】
移動局２０８、２０９、２１０はアクセス回線を用いて通信し、エントランス回線を直接用いることは出来ないが、セル間を移動してもアクセス回線を介したハンドオーバにより継続した通信ができる。
【００２４】
図３、図４に本実施例のシステムにおける信号の流れを示す。
【００２５】
図３には、ＲＮＣから基地局、中継局を経由して移動局の方向に伝送される移動局向けの加入者信号（以下、主信号）および中継局を保守・管理するための監視制御信号（以下、監視制御信号）の通信経路（以下、下り回線）を示す。
【００２６】
図３において、３０１はＲＮＣ、３０２は移動局用主信号処理部、３０３は中継局用監視制御部、３０４は基地局、３０５は主信号用符号化処理部、３０６は拡散処理部、３０７はスクランブルコード多重化部、３０８は監視制御信号用符号化処理部、３０９は拡散処理部、３１０は送信周波数変換部、３１１は中継局、３１２は受信周波数変換部、３１３は増幅部、３１４は監視制御信号用復号化処理部、３１５は監視制御部、３１６は監視制御信号抽出部、３１７は移動局をそれぞれ示す。
【００２７】
図３において、移動局３１７向けの主信号は、基幹回線網からＲＮＣ３０１に入力し、移動局用主信号処理部３０２で信号処理される。主信号は有線（光回線、同軸など）により基地局３０４に伝送され、主信号用符号化処理部３０５で無線用に符号化処理される。次に、主信号は拡散処理部３０６において移動局３１７に対応したスクランブルコードにより拡散処理される。
【００２８】
中継局３１１を保守・管理するための監視制御信号は、ＲＮＣ３０１の中継局用監視制御部３０３で生成され、主信号にディジタル多重され有線を用いて基地局３０４に伝送され、監視制御信号用符号化処理部３０８で無線用に符号化処理される。次に、監視制御信号は拡散処理部３０９において移動局３１７とは異なったスクランブルコードにより拡散処理される。
【００２９】
それぞれスクランブルコード化された主信号と監視制御信号は、スクランブルコード多重化部３０７において加算により多重化される。
【００３０】
多重化された信号は、送信周波数変換部３１０においてエントランス回線の周波数（例えば１．５ＧＨｚ帯）に周波数変換される。
【００３１】
エントランス回線により多重化信号は中継局３１１に伝送され、主信号は受信周波数変換部３１２においてアクセス回線の周波数（例えば２ＧＨz帯）に変換され、監視制御信号は中間周波数（例えば１００ＭＨｚ帯）に変換される。
【００３２】
アクセス回線の周波数に変換された主信号は、増幅部３１３で送信増幅され移動局３１７に送信される。
【００３３】
主信号は移動局３１７において逆拡散、復号され主信号が取り出される。
【００３４】
中間周波数に変換された監視制御信号は、監視制御信号用復号化処理部３１４において逆拡散、検波、復号処理され、監視制御信号抽出部３１６において監視制御信号が取り出される。
【００３５】
図４には移動局から中継局、基地局を経由してＲＮＣの方向に伝送される移動局からの加入者信号（以下、主信号）、および中継局を保守・管理するための監視制御信号（以下、監視制御信号）の通信経路（以下、上り回線）を示す。
【００３６】
図４において、図３と同じものは同一の番号が付してあり、４０１は復号化処理部、４０２は監視報告信号抽出部、４０３は受信周波数変換部、４０４は多重化・送信周波数変換部、４０５はＰＲＡＣＨ（Ｐｈｙｓｉｃａｌ  Ｒａｎｄｏｍ  Ａｃｃｅｓｓ  Ｃｈａｎｎｅｌ：物理ランダムアクセスチャネル）信号多重化部、４０６は監視報告信号用符号化処理部、４０７は監視報告信号生成部、４０８は増幅部をそれぞれ示す。
【００３７】
図４において、移動局３１７からの主信号は、アクセス回線（例えば２ＧＨｚ帯）により中継局３１１へ送信される。
【００３８】
主信号は中継局３１１において、増幅部４０８により低雑音増幅される。
【００３９】
中継局３１１を保守・管理するための監視報告信号は、監視報告信号生成部４０７で生成され、監視報告信号用符号化処理部４０６で符号化処理、フレーム処理され、監視報告信号固有のスクランブルコードで拡散処理される。
【００４０】
監視報告信号は、ＰＲＡＣＨ信号多重化部４０５において、移動局３１７からの主信号が備えた制御信号用チャネルであるＰＲＡＣＨに挿入されることにより、主信号と多重化される。
【００４１】
なお主信号は、多重化・送信周波数変換部４０４において、アクセス回線の周波数から中間周波数（例えば１００ＭＨｚ）に周波数変換されＰＲＡＣＨ信号多重化部４０５に入力し、同じ中間周波数の拡散された監視報告信号とＰＲＡＣＨを利用した多重化が行われる。
【００４２】
多重化された中間周波数の信号は、多重化・送信周波数変換部４０５においてエントランス回線の周波数（例えば１．５ＧＨｚ帯）に周波数変換される。
【００４３】
エントランス回線周波数の多重化信号は基地局３０４に伝送され、受信周波数変換部４０３において、中間周波数（例えば１００ＭＨｚ）に変換される。
【００４４】
多重化された中間周波数の信号は、復号化処理部４０１において移動局３１７に対応したスクランブルコードにより逆拡散され、移動局３１７からの主信号が検出されＲＮＣ３０１に伝送される。
【００４５】
復号化処理部４０１において、中継局の監視報告信号に対応したスクランブルコードによる逆拡散により、ＰＲＡＣＨに挿入された中継局３１１からの監視報告信号が検出され、信号抽出部４０２に転送され中継局３１１からの監視報告信号が抽出され、ＲＮＣ３０１に伝送される。
【００４６】
ＲＮＣ３０１に伝送された主信号は、移動局用主信号処理部３０２において信号処理され、移動局３１７の対向の相手先に伝送するためＣＮに出力される。
【００４７】
図５、図６に本システムにおける基地局と中継局の詳細構成を示す。
図５を用いて基地局３０４の詳細な動作を説明する。
【００４８】
図３および図４と同じものは同一の番号を付してあり、５０１はエントランス回線用アンテナ、５０２はＤＵＰ（Ｄｕｐｌｅｘｅｒ：送受共用器）、３０５１は符号化処理部、３０５２はフレーム処理部、３０８１は符号化処理部、３０８２はフレーム処理部、３０７１は加算器、３１０１はＢＰＦ（Ｂａｎｄ  Ｐａｓｓ  Ｆｉｌｔｅｒ：帯域通過濾波器）、３１０２はＡＧＣ（Ａｕｔｏｍａｔｉｃ  Ｇａｉｎ  Ｃｏｎｔｒｏｌ：自動利得制御回路）、３１０３は発信器、３１０４は乗算器、３１０５はＢＰＦ、３１０６はＰＡ（Ｐｏｗｅｒ  Ａｍｐｌｉｆｉｅｒ：電力増幅器）、４０３１はＬＮＡ（Ｌｏｗ  Ｎｏｉｓｅ  Ａｍｐｌｉｆｉｅｒ：低雑音増幅器）、４０３２はＡＧＣ、４０３３は発信器、４０３４は乗算器、４０３５はＢＰＦ、４０３６はＡＧＣ、４０１１はサーチャパス検出器、４０１２は逆拡散処理部、４０１３は検波処理部、４０１４は復号処理部、４０１５は検波処理部、４０１６は復号処理部をそれぞれ示す。
【００４９】
まず、基地局３０４における下り回線（ＲＮＣ３０１から移動局（図示せず）の方向への信号経路）に対する動作について図５を用いて説明する。
【００５０】
ＲＮＣ３０１から送られた主信号（移動局向けの主信号）は、符号化処理部３０５１で符号化され、フレーム処理部３０５２でフレーム処理が行われ、拡散処理部３０６において中間周波数（以下ＩＦ：Ｉｎｔｅｒｍｅｄｉａｔｅ  Ｆｒｅｑｕｅｎｃｙ、例えば１００ＭＨｚ帯）に一次変調し、さらに接続先の移動局固有のスクランブルコードで拡散される。
【００５１】
また、ＲＮＣ３０１から送られた監視制御信号は、符号化処理部３０８１で符号化され、フレーム処理部３０８２でフレーム処理が行われ、拡散処理部３０９においてＩＦ（例えば前記主信号と同じ１００ＭＨｚ帯）に一次変調し、さらに監視制御先の中継局固有のスクランブルコードで拡散される。
【００５２】
拡散された主信号と監視制御信号は、スクランブルコード多重化部３０７の加算器３０７１において加算により多重化される。
【００５３】
多重化されたＩＦ信号は、ＢＰＦ３１０１において不要なスペクトラムが除去され、ＡＧＣ３１０２においてＩＦ信号レベルの変動（主信号の加入者通話数によるレベル変動など）に対し一定レベルに制御される。
【００５４】
多重化されたＩＦ信号は、乗算器３１０４において発信器３１０３からの信号と混合され、エントランス回線の周波数（例えば１．５ＧＨｚ帯）に周波数変換される。
【００５５】
乗算器３１０４の出力は、ＢＰＦ３１０５において発信器３１０３からの信号周波数、イメージ周波数など不要スペクトラムが除去され、必要なエントランス回線周波数のみが通過し、ＰＡ３１０６において所定の送信電力まで増幅され、ＤＵＰ５０２を介してアンテナ５０１に接続され、中継局３１１に向けて送信される。
【００５６】
次に、基地局３０４における上り回線（移動局（図示せず）からＲＮＣ３０１の方向への信号経路）に対する動作について図５を用いて説明する。
【００５７】
中継局３１１から送信されたエントランス回線（例えば１．５ＧＨｚ帯）の信号は、アンテナ５０１により受信され、ＤＵＰ５０２を介して受信周波数変換部４０３に入力する。
【００５８】
受信されたエントランス回線の信号は、ＬＮＡ４０３１にて低雑音増幅され、ＡＧＣ４０３２により所定のレベルに制御された後、乗算器４０３４において発信器４０３３からの信号と混合され、ＩＦ周波数（例えば１００ＭＨｚ帯）の信号に周波数変換される。
【００５９】
ＩＦ信号はＢＰＦ４０３５において必要帯域外の雑音や不要なスペクトラムが除去され、ＡＧＣ４０３６により所定のレベルになるように利得制御される。
【００６０】
なお、エントランス回線の周波数帯のＡＧＣ４０３２の出力レベルは、乗算器４０３４が飽和による非線形歪を起こさないレベルに制御され、ＩＦ帯の周波数で動作するＡＧＣ４０３６との組み合わせによる制御により、中継局３１１から受信したエントランス回線の受信レベルが変動しても復号化処理部４０１への出力レベルが所定の値になるように保持される。
【００６１】
次に、ＩＦ信号は復号化処理部４０１に入力し、ＩＦ信号に挿入されたＣＰＩＣＨ（Ｃｏｍｍｏｎ  Ｐｉｌｏｔ  Ｃｈａｎｎｅｌ：共通パイロットチャネル）のパイロット信号を用いて、サーチャパス検出器４０１１において逆拡散のためのフレーム同期の頭出しが行われ、逆拡散処理部４０１２において、移動局３１７固有のスクランブルコードと、中継局３１１の監視報告信号固有のスクランブルコードにより逆拡散される。
【００６２】
移動局３１７固有のスクランブルコードにより逆拡散されたＩＦ信号は、検波処理部４０１５において復調され、復号処理部４０１６において主信号が復号される。
【００６３】
中継局３１１の監視報告信号固有のスクランブルコードにより逆拡散されたＩＦ信号は、検波処理部４０１５において復調され、復号処理部４０１６において監視報告信号が復号され、監視報告信号抽出部４０２において中継局３１１の監視報告信号が抽出される。
【００６４】
復号された移動局３１７からの主信号と、抽出された中継局３１１の監視報告信号は、ＲＮＣ３０１へ伝送される。
【００６５】
図６を用いて中継局３１１の詳細な動作を説明する。
【００６６】
図６において、図３および図４と同じものは同一の番号を付してあり、６０１はアクセス回線用アンテナ、６０２はＤＵＰ、６０３はＤＵＰ、６０４はエントランス回線用アンテナ、３１２１はＬＮＡ、３１２２は発信器、３１２３は乗算器、３１２４はＢＰＦ、３１２５はＡＧＣ、３１２６は発信器、３１２７は乗算器、３１３１はＰＡ、３１４１はサーチャパス検出器、３１４２は逆拡散部、３１４３は検波処理部、３１４４は復号処理部、４０４１は発信器、４０４２は乗算器、４０４３はＢＰＦ、４０４４はＡＧＣ、４０４５は発信器、４０４６は乗算器、４０４７はＰＡ、４０５１は加算器、４０６１は符号化処理部、４０６２はフレーム処理部、４０６３は拡散処理部、４０８１はＬＮＡをそれぞれ示す。
【００６７】
まず、中継局３１１における下り回線（ＲＮＣ３０１から移動局３１７の方向への通信経路）に対する動作について図６を用いて説明する。
【００６８】
基地局３０４から送信されたエントランス回線（例えば１．５ＧＨｚ帯）の信号は、エントランス回線用アンテナ６０４により受信され、ＤＵＰ６０３を介して受信周波数変換部３１２に入力する。
【００６９】
エントランス回線の信号は、ＬＮＡ３１２１で低雑音増幅され、乗算器３１２３において発信器３１２２からの信号と混合され、ＩＦ（例えば１００ＭＨｚ帯）の信号に周波数変換される。
【００７０】
ＩＦ信号は、ＢＰＦ３１２４において必要帯域外の雑音と不要なスペクトラムが除去されたのち、ＡＧＣ３１２５により利得制御され、エントランス回線の伝播損失による受信レベル変動に対し所定のレベルに保持される。
【００７１】
主信号に対して所定のレベルに制御されたＩＦ信号は、乗算器３１２７において発信器３１２６からの信号と混合され、アクセス回線（例えば２ＧＨｚ帯）の信号に周波数変換される。
【００７２】
アクセス回線の信号は増幅部３１３のＰＡ３１３１により、所定の送信電力まで増幅されＤＵＰ６０２を介してアクセス回線用アンテナ６０１に送られ、移動局３１７に向けて送信される。
一方、監視制御信号に対してＡＧＣ３１２５により所定のレベルに制御されたＩＦ信号は、分岐され監視制御信号用符号化処理部３１４に入力する。
【００７３】
監視制御信号用復号化処理部３１４に入力したＩＦ信号は、サーチャパス検出器３１４１によりＣＰＩＣＨのパイロット信号を用いて逆拡散のためのフレーム同期の頭出しが行われ、逆拡散処理部３１４２において、中継局３１１の監視報告信号固有のスクランブルコードにより逆拡散される。
【００７４】
中継局３１１の監視制御信号固有のスクランブルコードにより逆拡散されたＩＦ信号は、検波処理部３１４３において復調され、復号処理部３１４４において監視制御信号が復号され、監視制御信号抽出部３１６においてＲＮＣ局３０１から送られた監視制御信号が抽出される。
【００７５】
次に、中継局３１１における上り回線（移動局３１７からＲＮＣ３０１の方向への信号経路）に対する動作について図６を用いて説明する。
【００７６】
移動局３１７からアクセス回線（例えば２ＧＨｚ帯）を用いて送信された主信号は、アクセス回線用アンテナ６０１で受信され、ＤＵＰ６０２を介して増幅部４０８に入力する。アクセス回線の受信信号はＬＮＡ４０８１において低雑音増幅され、多重化・送信周波数変換部に入力する。
【００７７】
アクセス回線の受信信号は乗算器４０４２において、発信器４０４１からの信号と混合され、ＩＦ周波数（例えば１００ＭＨｚ）に周波数変換される。
【００７８】
中継局３１１を保守・管理するための監視報告信号は、監視制御部３１５の監視報告信号生成部４０７で生成され、監視報告信号符号化処理部４０６に送られる。
【００７９】
監視報告信号は符号化処理部４０６１で無線用に符号化処理され、フレーム処理部４０６２でフレーム処理され、拡散処理部４０６３においてＩＦ（例えば前記主信号と同じ１００ＭＨｚ帯）に一次変調し、監視報告信号固有のスクランブルコードにより拡散処理される。
【００８０】
拡散されたＩＦ周波数の監視報告信号は、ＰＲＡＣＨ信号多重化部４０５の加算器４０５において、移動局３１７からのＩＦ信号の主信号が備えた制御信号用チャネルであるＰＲＡＣＨに挿入されることにより、主信号と多重化される。
【００８１】
多重化されたＩＦ信号は、ＢＰＦ４０４３により必要帯域外の雑音や不要スペクトラムが除去された後に、ＡＧＣ４０４３において利得制御され、アクセス回線の伝播損失による受信レベル変動に対しＩＦ信号が所定のレベルに保持される。
【００８２】
次にＩＦ信号は、乗算器４０４６において発信器４０４５からの信号を混合され、エントランス回線の周波数（例えば１．５ＧＨｚ帯）に周波数変換される。
【００８３】
エントランス回線の信号は、ＰＡ４０４７において所定のレベルまで電力増幅され、ＤＵＰ６０３を介してエントランス回線用アンテナ６０４に伝送され、基地局３０４に向けて送信される。
【図面の簡単な説明】
【００８４】
【図１】システム構成例（従来技術）を示す図である。
【図２】中継局を用いたシステム構成例を示す図である。
【図３】下り回線の構成例を示す図である。
【図４】上り回線の構成例を示す図である。
【図５】基地局の詳細構成例を示す図である。
【図６】中継局の詳細構成例を示す図である。
【符号の説明】
【００８５】
１０１  ＲＮＣ（Ｒａｄｉｏ  Ｎｅｔｗｏｒｋ  Ｃｏｎｔｒｏｌ  ｅｑｕｉｐｍｅｎｔ）
１０２  移動局用主信号処理部
１０３  監視制御部
１０４  基地局
１０５  無線用符号化／復号化処理部
１０６  周波数変換部
１０７  監視制御信号処理部
１０８  中継局
１０９  周波数変換部
１１０  増幅部
１１１  監視制御部
１１２  移動局
２０１  ＲＮＣ
２０２  セルＣ
２０３  セルＡ
２０４  セルＢ
２０５  基地局
２０６  基地局
２０７  中継局
２０８  移動局
２０９  移動局
２１０  移動局
３０１  ＲＮＣ
３０２  移動局用主信号処理部
３０３  中継局用監視制御部
３０４  基地局
３０５  主信号用符号化処理部
３０６  拡散処理部
３０７  スクランブルコード多重化部
３０８  監視制御信号用符号化処理部
３０９  拡散処理部
３１０  送信周波数変換部
３１１  中継局
３１２  受信周波数変換部
３１３  増幅部
３１４  監視制御信号用復号化処理部
３１５  監視制御部
３１６  監視制御信号抽出部
３１７  移動局
４０１  復号化処理部
４０２  監視報告信号抽出部
４０３  受信周波数変換部
４０４  多重化・送信周波数変換部
４０５  ＰＲＡＣＨ（Ｐｈｙｓｉｃａｌ  Ｒａｎｄｏｍ  Ａｃｃｅｓｓ  Ｃｈａｎｎｅｌ：物理ランダムアクセスチャネル）信号多重化部
４０６  監視報告信号用符号化処理部
４０７  監視報告信号生成部
４０８  増幅部
５０１  エントランス回線用アンテナ
５０２  ＤＵＰ（Ｄｕｐｌｅｘｅｒ：送受共用器）
３０５１  符号化処理部
３０５２  フレーム処理部
３０８１  符号化処理部
３０８２  フレーム処理部
３０７１  加算器
３１０１  ＢＰＦ（Ｂａｎｄ  Ｐａｓｓ  Ｆｉｌｔｅｒ：帯域通過濾波器）
３１０２  ＡＧＣ（Ａｕｔｏｍａｔｉｃ  Ｇａｉｎ  Ｃｏｎｔｒｏｌ：自動利得制御回路）３１０３  発信器
３１０４  乗算器
３１０５  ＢＰＦ
３１０６  ＰＡ（Ｐｏｗｅｒ  Ａｍｐｌｉｆｉｅｒ：電力増幅器）
４０３１  ＬＮＡ（Ｌｏｗ  Ｎｏｉｓｅ  Ａｍｐｌｉｆｉｅｒ：低雑音増幅器）
４０３２  ＡＧＣ
４０３３  発信器
４０３４  乗算器
４０３５  ＢＰＦ
４０３６  ＡＧＣ
４０１１  サーチャパス検出器
４０１２  逆拡散処理部
４０１３  検波処理部
４０１４  復号処理部
４０１５  検波処理部
４０１６  復号処理部
６０１  アクセス回線用アンテナ
６０２  ＤＵＰ
６０３  ＤＵＰ
６０４  エントランス回線用アンテナ
３１２１  ＬＮＡ
３１２２  発信器
３１２３  乗算器
３１２４  ＢＰＦ
３１２５  ＡＧＣ
３１２６  発信器
３１２７  乗算器
３１３１  ＰＡ
３１４１  サーチャパス検出器
３１４２  逆拡散部
３１４３  検波処理部
３１４４  復号処理部
４０４１  発信器
４０４２  乗算器
４０４３  ＡＧＣ
４０４４  ＢＰＦ
４０４５  発信器
４０４６  乗算器
４０４７  ＰＡ
４０５１  加算器
４０６１  符号化処理部
４０６２  フレーム処理部
４０６３  拡散処理部
４０８１  ＬＮＡ
【図１】
2008236370.tif 000003
【図２】
2008236370.tif 000004
【図３】
2008236370.tif 000005
【図４】
2008236370.tif 000006
【図５】
2008236370.tif 000007
【図６】
2008236370.tif 000008